(57)【要約】本発明は、無線通信システムにおける出力制御のための適応ステップサイズ方法および当該方法のためのシステムに関する。上記方法は、その数値が予め設定される以前の出力制御サイクルにおける出力制御情報と、現在の出力制御サイクルにおける出力制御情報とを得るステップと、その数値が予め設定される以前の出力制御サイクルにおける得られた出力制御情報と、現在の出力制御サイクルにおける得られた出力制御情報とにしたがって、現在の出力制御サイクルにおける出力制御ステップサイズを決定するステップとを含んでいる。現在のＰＣサイクルにおける適切なステップサイズを決定するために上記方法を使用すると、現在の無線通信システムにおけるＰＣステップサイズの変化が固定された値であるという欠点を解消することができ、それにより、出力変化を更になだらかにすることができるとともに、無線通信における通信の質を良好に保つことができる。
2006512839.tif 000002
【特許請求の範囲】
【請求項１】
無線通信携帯端末における出力制御のための適応ステップサイズ方法であって、
以前の出力制御サイクルにおいて数が予め設定される出力制御情報と、現在の出力制御サイクルにおける出力制御情報とを得るステップと、
以前の出力制御サイクルにおいて数が予め設定され獲得された出力制御情報と、現在の出力制御サイクルにおける獲得された出力制御情報とにしたがって、現在の出力制御サイクルにおける出力制御ステップサイズを決定するステップとを含む方法。
【請求項２】
以前の出力制御サイクルにおいて数が予め設定される前記出力制御情報は、ＰＣａｔｔｒｉｂｕｔｅ  Ｎ−１，ＰＣａｔｔｒｉｂｕｔｅ  Ｎ−２，．．．．，ＰＣａｔｔｒｉｂｕｔｅ  Ｎ−（ｎ−１）およびそれに対応するＰＣｓｔｅｐ  ｓｉｚｅ  Ｎ−１，ＰＣｓｔｅｐ  ｓｉｚｅ  Ｎ−２，．．．．，ＰＣｓｔｅｐ  ｓｉｚｅ  Ｎ−（ｎ−１）であり、現在の出力制御サイクルにおける前記出力制御情報はＰＣａｔｔｒｉｂｕｔｅ  Ｎであり、前記現在のＰＣステップサイズはＰＣｓｔｅｐ  ｓｉｚｅ  Ｎである、請求項１に記載の方法。
【請求項３】
数が設定される以前のＰＣａｔｔｒｉｂｕｔｅおよび現在のＰＣａｔｔｒｉｂｕｔｅが連続的に増大し或いは減少する場合には、ＰＣｓｔｅｐ  ｓｉｚｅ  Ｎ−１に基づいて現在のＰＣｓｔｅｐ  ｓｉｚｅ  Ｎが大きくなるステップと、
数が設定される以前のＰＣａｔｔｒｉｂｕｔｅおよび現在のＰＣａｔｔｒｉｂｕｔｅが非連続的に増大し或いは減少する場合には、ＰＣｓｔｅｐ  ｓｉｚｅ  Ｎ−１に基づいて現在のＰＣｓｔｅｐ  ｓｉｚｅ  Ｎが縮小するステップとを更に含む、請求項２に記載の方法。
【請求項４】
前記現在のＰＣａｔｔｒｉｂｕｔｅは、ＳＩＮＲｒｅｃｅｉｖｅｄとＳＩＮＲｔａｒｇｅｔとの比較結果にしたがって基地局によって決定される、請求項３に記載の方法。
【請求項５】
数が予め設定される送信出力のＰＣステップサイズの変化値の傾向にしたがって、前記現在のＰＣサイクルにおけるＰＣステップサイズの変化値を決定することができる、請求項１に記載の方法。
【請求項６】
アップリンククローズドループＰＣまたはダウンリンククローズドループＰＣに対して前記ＰＣ方法を適用することができる、請求項１から請求項５のいずれか一項に記載の方法。
【請求項７】
前記出力制御方法は、ＣＤＭＡに基づく無線通信システム、ＧＳＭに基づく無線通信システムおよびＡＭＰＳモバイル通信システムに対して適用することができる、請求項６に記載の方法。
【請求項８】
以前のＰＣサイクルにおいて数が設定されるＰＣａｔｔｒｉｂｕｔｅと、数が設定され対応するＰＣｓｔｅｐ  ｓｉｚｅとをメモリユニット内に記憶するステップと、
現在のＰＣａｔｔｒｉｂｕｔｅおよびＰＣｓｔｅｐ  ｓｉｚｅを前記メッモリユニット内に記憶して、次のＰＣサイクルにおけるＰＣｓｔｅｐ  ｓｉｚｅを決定するステップとを更に含む、請求項１に記載の方法。
【請求項９】
無線通信システムにおける出力制御のための適応ステップサイズ方法であって、
以前の出力制御サイクルにおいて数が予め設定される出力制御情報と、現在の出力制御サイクルにおける出力制御情報とを得るステップと、
以前の出力制御サイクルにおいて数が予め設定され獲得された出力制御情報と、現在の出力制御サイクルにおける獲得された出力制御情報とにしたがって、現在の出力制御サイクルにおける出力制御ステップサイズを決定するステップとを含む方法。
【請求項１０】
以前の出力制御サイクルにおいて数が設定される前記出力制御情報は、ＰＣａｔｔｒｉｂｕｔｅ  Ｎ−１，ＰＣａｔｔｒｉｂｕｔｅ  Ｎ−２，．．．．，ＰＣａｔｔｒｉｂｕｔｅ  Ｎ−（ｎ−１）およびそれに対応するＰＣｓｔｅｐ  ｓｉｚｅ  Ｎ−１，ＰＣｓｔｅｐ  ｓｉｚｅ  Ｎ−２，．．．．，ＰＣｓｔｅｐ  ｓｉｚｅ  Ｎ−（ｎ−１）であり、前記現在の出力制御におけるＰＣ属性がＰＣａｔｔｒｉｂｕｔｅ  Ｎであり、前記現在のＰＣステップサイズがＰＣｓｔｅｐ  ｓｉｚｅ  Ｎである、請求項９に記載の方法。
【請求項１１】
数が設定される以前のＰＣａｔｔｒｉｂｕｔｅおよび現在のＰＣａｔｔｒｉｂｕｔｅが連続的に増大し或いは減少する場合には、ＰＣｓｔｅｐ  ｓｉｚｅ  Ｎ−１に基づいて現在のＰＣｓｔｅｐ  ｓｉｚｅ  Ｎが大きくなるステップと、
数が設定される以前のＰＣａｔｔｒｉｂｕｔｅおよび現在のＰＣａｔｔｒｉｂｕｔｅが非連続的に増大し或いは減少する場合には、ＰＣｓｔｅｐ  ｓｉｚｅ  Ｎ−１に基づいて現在のＰＣｓｔｅｐ  ｓｉｚｅ  Ｎが縮小するステップとを更に含む、請求項９に記載の方法。
【請求項１２】
ＰＣのためのアルゴリズム処理ユニットと、メモリユニットと、信号処理ユニットと、受信ユニットと、送信ユニットとを含む無線通信システムであって、
前記メモリユニットは、以前および現在のＰＣステップサイズおよびＰＣ属性を記憶するために使用され、
前記受信ユニットは、携帯端末によって送信される信号を受信するとともに、信号のＳＩＮＲ値をＰＣのための前記アルゴリズム処理ユニットに対して送信し、
ＰＣのための前記アルゴリズム処理ユニットは、現在のＰＣステップサイズの属性を決定するとともに、以前のＰＣサイクルにおけるＰＣステップサイズおよびＰＣ属性を前記メモリユニットから検出するために、携帯端末によって送信された信号のＳＩＮＲｒｅｃｅｉｖｅｄ値とＳＩＮＲｔａｒｇｅｔ値とを比較し、
以前および現在のＰＣサイクルにおけるＰＣ属性が連続的に増大し或いは減少する場合には、以前のステップサイズに基づいて現在のＰＣサイクルにおけるＰＣステップサイズが大きくなり、
以前および現在のＰＣサイクルにおけるＰＣ属性が非連続的に増大し或いは減少する場合には、以前のステップサイズに基づいて現在のＰＣサイクルにおけるＰＣステップサイズが縮小し、現在のＰＣステップサイズおよびＰＣ属性が前記信号処理ユニットに対して送信され、
前記信号処理ユニットは、現在のＰＣステップサイズおよびＰＣ属性をダウンリンク送信信号中に挿入して、これらを前記送信ユニットに対して送信し、
前記送信ユニットは、現在のＰＣステップサイズおよびＰＣ属性を携帯端末に対して送信する、
無線通信システム。
【請求項１３】
送信ユニットと、受信ユニットと、信号処理ユニットと、メモリユニットと、出力制御のためのアルゴリズム処理ユニットとを含む携帯端末であって、
前記受信ユニットは、ＢＳからＰＣコマンドを受信するとともに、ＰＣ属性を出力制御のための前記アルゴリズム処理ユニットに対して送信し、
前記メモリユニットは、以前および現在のＰＣステップサイズおよびＰＣ属性を記憶し、
ＰＣのための前記アルゴリズム処理ユニットは、現在のＰＣ属性と以前のＰＣサイクルにおけるＰＣステップサイズおよびＰＣ属性とを前記メモリユニットから検出し、
以前および現在のＰＣサイクルにおけるＰＣ属性が連続的に増大し或いは減少する場合には、以前のステップサイズに基づいて現在のＰＣサイクルにおけるＰＣステップサイズが大きくなり、
以前および現在のＰＣサイクルにおけるＰＣ属性が非連続的に増大し或いは減少する場合には、以前のステップサイズに基づいて現在のＰＣサイクルにおけるＰＣステップサイズが縮小し、現在のＰＣステップサイズおよびＰＣ属性が前記信号処理ユニットに対して送信され、
前記信号処理ユニットは、受信したＰＣコマンドにしたがって端末送信器を調整し、
前記送信ユニットは、調整された送信出力にしたがって信号を送信する、携帯端末。
【発明の詳細な説明】
【技術分野】
【０００１】
本発明は、一般に、無線通信システムにおける出力制御のためのシステム及びそのための方法に関し、特に、無線通信システムにおける出力制御のための適応ステップサイズシステム及びそのための方法に関する。
【背景技術】
【０００２】
ＣＤＭＡ（符号分割多重アクセス方式）に基づく無線通信システムにおいては、１つの基地局（ＢＳ）内で異なる端末の信号を搬送するために、同じ搬送波ＲＦ（無線周波数）が使用される。すなわち、１つのＢＳ内で、１つの同じ搬送波ＲＦを使用して、多くの端末の通信を行なうことができる。図１は、一般的な無線通信システムにおけるＢＳと端末との間の通信の概略図である。図１に示されるように、一般的な無線通信システムは、基地局と、基地局コントローラと、コアネットワークと、携帯端末とを含む。ＢＳと携帯端末との間の通信は、無線リソース（例えば、ＣＤＭＡに基づく通信システムにおける搬送波ＲＦ、２つの搬送波ＲＦ、または、第三世代モバイル通信システムにおける３つの搬送波ＲＦ）によって行なわれる。ＣＤＭＡに基づく通信システムにおいて、異なる場所に配置された端末は、同じ出力を使用して信号をＢＳに送信する。これに対し、ＢＳにおいて受信された信号出力レベルは異なる。したがって、ＢＳの近傍にある端末の信号は、ＢＳから離れている端末の信号を抑制する。この所謂「ニア−ファー（near-far）」効果を解消するために、ＢＳにおいて受信された信号出力が同じレベルに維持されるように、出力制御（ＰＣ）方法を採用する。無線通信システムにおいては、干渉が存在するため、受信された信号の質を測定してＰＣの基準とするべく、重要なパラメータ、即ち、信号対干渉雑音比（ＳＩＮＲ）が通常使用される。
【０００３】
ＣＤＭＡに基づく無線通信システムは、一般に、２種類のＰＣ方法、すなわち、オープンループＰＣ方法とクローズドループＰＣ方法とを含んでいる。オープンループＰＣ方法において、端末は、それ自体内での測定結果のみに基づいて、その送信出力を調整する。これに対し、クローズドループＰＣ方法においては、ＢＳおよび端末の両方が出力調整に寄与する。一方、その送信出力を調整する端末は、アップリンクＰＣ方法と呼ばれており、同時に、その送信出力を調整するＢＳは、ダウンリンクＰＣ方法と呼ばれている。我々は、本発明において、アップリンククローズドループＰＣ方法に注目する。上記アップリンククローズドループＰＣ手法は、並行して動作する２つのプロセス、すなわち、外側ループＰＣ方法と内側ループＰＣ方法とに分けることができる。アップリンクにおける外側ループＰＣ手法は、ＢＳおよびネットワーク内で動作し、各端末から受信したＳＩＮＲのための目標を設定する役目を負う。この目標は、その端末から受信されたデコードされた信号のエラー率にしたがい、各端末における個々の基準に基づいて設定される。外側ループＰＣは、エラー率が受信信号における品質要件を満たすまで、ＳＩＮＲ目標を調整する。内側ループＰＣ機構は、外側ループにより設定されたＢＳにおけるＳＩＮＲ目標を満たすように、端末の送信出力を制御する。
【０００４】
ここで、図２を参照されたい。図２は現在のＰＣのフローチャートを示している。図２から分かるように、クローズドループアップリンクＰＣの一般的な手続きは以下の通りである。
【０００５】
ステップＳ１０：ＰＣが起こる全ての送信タイムユニット（ＴＤ−ＳＣＤＭＡシステムにおいて、このユニットはサブフレームであり、ＩＳ−９５  ＣＤＭＡ、Ｗ−ＣＤＭＡ、および、ｃｄｍａ２０００等の他のシステムにおいて、このユニットはタイムスロットである）において、ＢＳは、端末の受信したＳＩＮＲ（ＳＩＮＲｒｅｃｅｉｖｅｄとして表わされる）を検出する。
【０００６】
ステップＳ２０：ＢＳは、ＳＩＮＲｒｅｃｅｉｖｅｄと、外側ループＰＣによりＢＳで設定される目標値（ＳＩＮＲｔａｒｇｅｔとして表わされる）とを比較する。
【０００７】
ステップＳ３０：ＳＩＮＲｒｅｃｅｉｖｅｄ＜ＳＩＮＲｔａｒｇｅｔである場合には、ステップＳ３０において、ＢＳは、端末に対してその送信出力を増大するように命令する。ＳＩＮＲｒｅｃｅｉｖｅｄ＞ＳＩＮＲｔａｒｇｅｔである場合には、ステップＳ３２において、ＢＳは、端末に対してその送信出力を低減するように命令するための指示を送信する。ＳＩＮＲｒｅｃｅｉｖｅｄ＝ＳＩＮＲｔａｒｇｅｔである場合には、ステップＳ３３において、ＢＳは、端末に対してその送信出力を維持するように指示する。上記端末は、ＢＳからの指示にしたがって、関連する操作（送信出力増大Ｓ４１、減少Ｓ４２、あるいは不変Ｓ４３）を実行する。
【０００８】
我々は、前述したステップＳ１０〜Ｓ３０をＰＣサイクルと呼ぶ。現在、ＰＣステップサイズは一定である。すなわち、端末は、通常、その送信出力を各ＰＣサイクル毎に１ｄＢ（あるいは、技術的な仕様によって規定された他の定数）ずつ変化させる。
【０００９】
そのような一定のＰＣステップサイズを考慮して、我々が想像できることは、特にＳＩＮＲｒｅｃｅｉｖｅｄがＳＩＮＲｔａｒｇｅｔから離れている場合、目標に対するＳＩＮＲの収束がゆっくりであり、それにより、この段階中におけるＢＳでの受信信号の質があまり良くないということである。また、ＳＩＮＲｒｅｃｅｉｖｅｄがＳＩＮＲｔａｒｇｅｔに非常に近い場合であっても、出力変化は依然として固定された値を維持している。したがって、その変化はあまりなだらかではない。
【００１０】
ＰＣ性能を向上させるために、柔軟性があるＰＣステップサイズ方式が３ＧＰＰ基準において提案されてきた。この方法においては、一組のＰＣステップサイズ（０．５ｄＢ、１ｄＢ、または、２ｄＢ等）がＢＳ内に予め記憶されており、ＢＳは、この組から１つを選択するために特定のアルゴリズムを呼び出す。そのため、この方式では、ＰＣステップサイズがＰＣサイクル３のセクションにおいて依然として一定である。
【００１１】
従来技術では、無線通信システムにおけるＰＣをリサーチする多くの方法がある。例えば、米国特許第２００２００７７１３８号および米国特許第２００２００７２３８５号等には、ＰＣのための幾つかの方法が開示されている。しかしながら、全てにおいて、ＰＣステップサイズ変化の固定に関する問題が存在する。
【発明の開示】
【発明が解決しようとする課題】
【００１２】
したがって、本発明は、ＰＣのための非固定ステップサイズ方法を提供しようとするものである。本発明の方法は、各ＰＣサイクルにおいて適切なステップサイズを決定し、それにより、目標から離れている場合にはＳＩＮＲｒｅｃｅｉｖｅｄの収束を速め、且つ、目標に近い場合にはＳＩＮＲｒｅｃｅｉｖｅｄの収束をなだらかにするとともに、無線通信における通信の質を確実に良好に保つように使用される。
【００１３】
これらの目的を達成するために、かつ、本発明の目的にしたがって、無線通信携帯端末における出力制御のための適応ステップサイズ方法が提供され、この方法は、以前の出力制御サイクルで数が予め設定される出力制御情報と、現在の出力制御サイクルにおける出力制御情報とを得るステップと、以前の出力制御サイクルで数が予め設定され獲得された出力制御情報と、現在の出力制御サイクルにおける獲得された出力制御情報とにしたがって、現在の出力制御サイクルにおける出力制御ステップサイズを決定するステップとを含んでいる。
【００１４】
本発明の他の態様においては、無線通信システムにおける出力制御のための適応ステップサイズ方法であって、以前の出力制御サイクルで数が予め設定される出力制御情報と、現在の出力制御サイクルにおける出力制御情報とを得るステップと、以前の出力制御サイクルで数が予め設定され獲得された出力制御情報と、現在の出力制御サイクルにおける獲得された出力制御情報とにしたがって、現在の出力制御サイクルにおける出力制御ステップサイズを決定するステップとを含む方法が提供される。
【００１５】
本発明の他の態様においては、ＰＣのためのアルゴリズム処理ユニットと、メモリユニットと、信号処理ユニットと、受信ユニットと、送信ユニットとを含む無線通信システムであって、上記メモリユニットは、以前および現在のＰＣステップサイズおよびＰＣ属性（attribute）を記憶するために使用され、上記受信ユニットは、携帯端末によって送信される信号を受信するとともに、信号のＳＩＮＲ値をＰＣ用の上記アルゴリズム処理ユニットに対して送信し、ＰＣ用の上記アルゴリズム処理ユニットは、現在のＰＣステップサイズの属性を決定するとともに、以前のＰＣサイクルにおけるＰＣステップサイズおよびＰＣ属性を上記メモリユニットから検出するために、携帯端末によって送信された信号のＳＩＮＲｒｅｃｅｉｖｅｄ値とＳＩＮＲｔａｒｇｅｔ値とを比較し、以前および現在のＰＣサイクルにおけるＰＣ属性が連続的に増大し或いは減少する場合には、以前のステップサイズに基づいて現在のＰＣサイクルにおけるＰＣステップサイズが大きくなり、以前および現在のＰＣサイクルにおけるＰＣ属性が非連続的に増大し或いは減少する場合には、以前のステップサイズに基づいて現在のＰＣサイクルにおけるＰＣステップサイズが縮小し、現在のＰＣステップサイズおよびＰＣ属性は上記信号処理ユニットに対して送信され、上記信号処理ユニットは、現在のＰＣステップサイズおよびＰＣ属性をダウンリンク送信信号中に挿入して、これらを上記送信ユニットに対して送信し、上記送信ユニットは、現在のＰＣステップサイズおよびＰＣ属性を携帯端末に対して送信する、無線通信システムが提供される。
【００１６】
本発明の他の態様においては、送信ユニットと、受信ユニットと、信号処理ユニットと、メモリユニットと、出力制御のためのアルゴリズム処理ユニットとを有する携帯端末であって、上記受信ユニットは、ＢＳからＰＣコマンドを受信し、かつ、ＰＣ属性を出力制御のための上記アルゴリズム処理ユニットに対して送信し、上記メモリユニットは、以前および現在のＰＣステップサイズおよびＰＣ属性を記憶し、ＰＣのための上記ＰＣアルゴリズム処理ユニットは、現在のＰＣ属性と以前のＰＣサイクルにおけるＰＣステップサイズおよびＰＣ属性とを上記メモリユニットから検出し、以前および現在のＰＣサイクルにおけるＰＣ属性が連続的に増大し或いは減少する場合には、以前のステップサイズに基づいて現在のＰＣサイクルにおけるＰＣステップサイズが大きくなり、以前および現在のＰＣサイクルにおけるＰＣ属性が非連続的に増大し或いは減少する場合には、以前のステップサイズに基づいて現在のＰＣサイクルにおけるＰＣステップサイズが縮小し、現在のＰＣステップサイズおよびＰＣ属性が上記信号処理ユニットに対して送信され、上記信号処理ユニットは、受信したＰＣコマンドにしたがって端末送信器を調整し、上記送信ユニットは、調整された送信出力にしたがって信号を送信する、携帯端末が提供される。
【００１７】
要するに、本発明は、ＰＣのための非固定ステップサイズ方法を提供する。本発明の方法は、各ＰＣサイクルにおいて適切なステップサイズを決定するために使用され、それにより、現在の無線通信システムにおけるＰＣステップサイズの変化が固定された値であるという欠点を解消することができ、その結果、目標から離れている場合にはＳＩＮＲｒｅｃｅｉｖｅｄの収束を速め、且つ、目標に近い場合にはＰＣステップサイズを縮小することによりＳＩＮＲｒｅｃｅｉｖｅｄの収束をなだらかにして、無線通信における通信の質を確実に良好に保つことができる。
【発明を実施するための最良の形態】
【００１８】
以下、添付図面を参照しながら、本発明について詳細に説明する。
【００１９】
本発明の方法では、出力変化に適応ステップサイズ方法を導入する。その主な原理は、以前のｎ個のＰＣサイクルにおけるＰＣ情報と現在のＰＣサイクルにおけるＰＣ情報の既知の部分とを採用して、現在のＰＣステップサイズを一緒に調整し、ステップサイズの変化傾向に適合させることである。
【００２０】
幾つかの例を挙げて本発明の実施形態について説明する。この実施形態においては、我々のアルゴリズムについて説明するために、一例としてｎ＝１とする。しかしながら、本発明はｎ＝１に限定されない。上記ｎは、例えばｎ＝２，３，４等の任意の数値をとることができる。この実施形態において、ＰＣ属性表示に関しては、「＋」が出力の増大を表わし、一方、「−」が出力の減少を表わす。すなわち、現在のＰＣ属性と共に以前のＰＣサイクルにおけるＰＣのステップサイズおよび属性を利用して、現在のＰＣステップサイズを決定する。この新規な方法は、以下の原理のように簡単に表すことができる。
【００２１】
１．現在のＰＣ属性は、ＢＳにおいてＳＩＮＲｒｅｃｅｉｖｅｄとＳＩＮＲｔａｒｇｅｔとを比較することにより決定される。
２．以前のＰＣサイクルおよび現在のＰＣサイクルにおけるＰＣ属性が（＋＋）または（−−）である場合、現在のＰＣサイクルにおけるＰＣステップサイズは、以前のＰＣサイクルにおけるＰＣステップサイズに基づいて大きくなる。
３．以前のＰＣサイクルおよび現在のＰＣサイクルにおけるＰＣ属性が（＋−）または（−＋）である場合、現在のサイクルにおけるＰＣステップサイズは、以前のサイクルにおけるＰＣステップサイズに基づいて縮小する。
４．各ＰＣステップサイズの変化値も、ＳＩＮＲ収束傾向にしたがって、各ＰＣサイクルにおいて様々な値をとり得る。
【００２２】
ここに、我々の方法を説明する例がある。我々は、以前のＰＣサイクルおよび現在のＰＣサイクルをそれぞれ表わすために、添え字previousおよび添え字currentを使用する。前述した方式において、
ＰＣステップサイズｐｒｅｖｉｏｕｓ＝１．０ｄＢであるとともに、ＰＣ属性ｐｒｅｖｉｏｕｓ＝＋で且つＰＣ属性ｃｕｒｒｅｎｔ＝＋である場合には、ＰＣステップサイズｃｕｒｒｅｎｔ＝１．１ｄＢであり、一方、
ＰＣステップサイズｐｒｅｖｉｏｕｓ＝１．０ｄＢであるとともに、ＰＣ属性ｐｒｅｖｉｏｕｓ＝＋で且つＰＣ属性ｃｕｒｒｅｎｔ＝−である場合には、ＰＣステップサイズｃｕｒｒｅｎｔ＝０．９ｄＢである。
【００２３】
この場合、ＰＣ属性ｃｕｒｒｅｎｔは、ＳＩＮＲｒｅｃｅｉｖｅｄとＳＩＮＲｔａｒｇｅｔとの間の比較によって決定される。この例において、各ＰＣステップサイズの変化値は０．１ｄＢであると考えられる。この値は、前述した４番目の原理にしたがって、各ＰＣサイクル毎に異なる可能性があるが、ＳＩＮＲ収束傾向と一致していなければならない。
【００２４】
要するに、我々は、以前の１つのＰＣステップサイズ値およびＰＣ属性と現在のＰＣ属性とを組み合わせることにより現在のＰＣステップサイズが決定される１つの例を採用している。前述したように、我々の方法は、以前の１つのＰＣサイクルステップサイズおよび属性を採用することに限定されない。また、我々の方法は、現在のＰＣ属性と組み合わされた以前の幾つかのＰＣサイクルステップサイズおよび属性を採用して、現在のＰＣステップサイズを決定することもできる。例えば、我々はｎ＝２を用いた場合、すなわち、我々は、現在のＰＣ属性と組み合わされた２つの以前のＰＣサイクルステップサイズおよび属性を使用して、現在のＰＣステップサイズを決定する。前述した実施形態と同様、「＋」が出力の増大を表わし、一方、「−」が出力の減少を表わす。２つの以前のＰＣサイクルおよび現在のＰＣサイクルにおけるＰＣ属性が（＋＋＋）または（−−−）であるとすると、現在のＰＣサイクルにおけるＰＣステップサイズは、以前のＰＣサイクルにおけるＰＣステップサイズに基づいて大きくなる。しかしながら、前述した３つの属性を適用して現在のＰＣサイクルステップサイズを決定すると、ＰＣの増分は、２つの属性を適用することにより決定された増分よりも大きくなり、例えば、その増分は０．２ｄＢとなる。以前の２つのＰＣサイクルと現在のＰＣサイクルのＰＣ属性とが混合されると仮定すると、すなわち、例えば（＋−＋）または（−＋−）のように属性が一致していないとすると、現在のＰＣサイクルにおけるＰＣステップサイズは、前述した例に示されるように、以前のＰＣサイクルにおけるＰＣステップサイズに基づいて縮小する。
【００２５】
ＰＣステップサイズの変化状態をタイムリーに追跡するために、上記ＰＣステップサイズの変化が連続的に増大することをＢＳが検出すると、次のＰＣサイクルにおいてＰＣステップサイズの増大値を適切に大きくして、ＳＩＮＲを目標へと急速に到達させることができる。また、目標に接近しているときに、上記ＰＣステップサイズの変化が連続的に減少することをＢＳが検出すると、次のＰＣサイクルにおいてＰＣステップサイズの減少値を適切に減らすことができる。ＰＣステップサイズの変化値が減少するため、本発明における送信出力変化は、固定されたＰＣステップサイズにおけるそれよりも、かなりなだらかである。
【００２６】
更に幾つかの例を挙げて前述した方法について説明する。以前のｎ個のＰＣサイクルにおけるＰＣステップサイズの変化傾向によって現在のＰＣサイクルにおけるＰＣステップサイズを決定する方法は、「一定値傾向（constant value trend）」方法と称され、最初に説明した本発明の例である。例えば、以下の例において、ｎ＝５であり、ＰＣ属性が連続的に＋または−である場合、現在のＰＣサイクルの連続番号は６である。すなわち、
ＰＣｓｔｅｐ  ｓｉｚｅ  １＝０．５ｄＢ、ＰＣｓｔｅｐ  ｓｉｚｅ  ２＝０．６ｄＢ、ＰＣｓｔｅｐ  ｓｉｚｅ  ３＝０．７ｄＢ、ＰＣｓｔｅｐ  ｓｉｚｅ  ４＝０．８ｄＢ、ＰＣｓｔｅｐ  ｓｉｚｅ  ５＝０．９ｄＢである場合、現在のＰＣサイクルではＰＣｓｔｅｐ  ｓｉｚｅ  ６＝１．０ｄＢとなる。すなわち、ＰＣステップサイズの変化値（Δとして表わされ、これは、システムによって設定された最初のＰＣｓｔｅｐ  ｓｉｚｅと同じである）は、０．１ｄＢとして固定されている。式は以下の通りである。
ＰＣｓｔｅｐ  ｓｉｚｅ  ｉ＝ＰＣｓｔｅｐ  ｓｉｚｅ  ｉ−１±Δ（ｉ＝６，５，４，３，２）
【００２７】
無論、我々は、他の「変化値傾向（change value trend）」方法を採用することができる。１つの方式は「加速変化」である。簡単な「加速変化」は、ＰＣｓｔｅｐ  ｓｉｚｅ  ｉ＝ＰＣｓｔｅｐ  ｓｉｚｅ  ｉ−１±（（ｉ−１）×Δ）（ｉ＝６，５，４，３，２）として表わすことができる。
【００２８】
すなわち、ＰＣｓｔｅｐ  ｓｉｚｅ  １＝０．５ｄＢ、ＰＣｓｔｅｐ  ｓｉｚｅ  ２＝０．６ｄＢ、ＰＣｓｔｅｐ  ｓｉｚｅ  ３＝０．８ｄＢ、ＰＣｓｔｅｐ  ｓｉｚｅ  ４＝１．１ｄＢ、ＰＣｓｔｅｐ  ｓｉｚｅ  ５＝１．５ｄＢである場合、ＰＣｓｔｅｐ  ｓｉｚｅ  ６＝２．０ｄＢとなる。
【００２９】
他の「変化値傾向」方法も存在するが、ここで、我々はこれらを１つずつ説明するつもりはない。なお、本発明の主な考え方は、以前のｎ個のＰＣサイクルにおけるＰＣ情報（主に、ＰＣステップサイズの変化傾向）を採用して、ＰＣサイクルにおける現在のＰＣステップサイズを調整することである、という点を指摘しておく。ステップサイズを決定するための２つの典型的な方法について本発明を説明したが、本発明はこれらの方法に限定されない。
【００３０】
また、ＰＣステップサイズの変化が非常に大きくなることは一般にあり得ない点を指摘しておく。ＰＣステップが大きすぎる（例えば３ｄＢ以上）と、ＰＣサイクルの期間中における通信の質に影響が及んでしまう。
【００３１】
ここで、図３を参照しながら、本発明の方法について説明する。このフローチャートにおいては、アップリンクＰＣを一例として取り上げる。まず第１に、ステップＳ５０では、ＢＳにおいて、ｎ個のＰＣ属性「ＰＣａｔｔｒｉｂｕｔｅ」（すなわち、送信出力を増大させ或いは減少させるコマンドであって、「＋」または「−」としてそれぞれ表わされるコマンドをＢＳが携帯端末に対して送信する）およびＰＣステップサイズ「ＰＣｓｔｅｐ  ｓｉｚｅ」（送信出力の値は、携帯端末において変えられなければならない）を記憶するためにメモリユニットが使用される。また、数値Ｎ，Ｎ−１，Ｎ−２，．．．，Ｎ−（ｎ−１）は、幾つかの現在および以前のＰＣサイクルを表わしている。第２に、ステップＳ６０では、現在のＰＣサイクルのタイムスロットにおいて、ＳＩＮＲｒｅｃｅｉｖｅｄとＳＩＮＲｔａｒｇｅｔとの間の比較結果に基づいてＢＳが現在のＰＣ属性「ＰＣａｔｔｒｉｂｕｔｅ  Ｎ」を決定する。その後、ステップＳ７０では、ＰＣａｔｔｒｉｂｕｔｅ  Ｎ−１，ＰＣａｔｔｒｉｂｕｔｅ  Ｎ−２，．．．．，ＰＣａｔｔｒｉｂｕｔｅ  Ｎ−（ｎ−１）およびそれに対応するＰＣｓｔｅｐ  ｓｉｚｅ  Ｎ−１，ＰＣｓｔｅｐ  ｓｉｚｅ  Ｎ−２，．．．．，ＰＣｓｔｅｐ  ｓｉｚｅ  Ｎ−（ｎ−１）にしたがって、現在のＰＣサイクルにおけるＰＣステップサイズが決定される。ここで、ＰＣａｔｔｒｉｂｕｔｅ  ｉ（ｉ＝Ｎ−１，Ｎ−２，．．．，Ｎ−（ｎ−１））が連続的に「＋」または「−」であると、ステップＳ７１において、現在のＰＣｓｔｅｐ  ｓｉｚｅ  ＮがＰＣｓｔｅｐ  ｓｉｚｅ  Ｎ−１に基づいて大きくなる。また、ＰＣａｔｔｒｉｂｕｔｅ  ｉ（ｉ＝Ｎ−１，Ｎ−２，．．．，Ｎ−（ｎ−１））が非連続的に「＋」または「−」であると、ステップＳ７２において、現在のＰＣｓｔｅｐ  ｓｉｚｅ  ＮがＰＣｓｔｅｐ  ｓｉｚｅ  Ｎ−１に基づいて縮小する。また、ステップ７３において、全てのＰＣサイクルにおけるＰＣステップサイズの変化値は、信号を受けるＢＳの信号対雑音比のＳＩＮＲｔａｒｇｅｔへの収束傾向にしたがって異なる可能性もある。前述した操作が完了した後、ＢＳメモリユニットの「ＰＣａｔｔｒｉｂｕｔｅ」および「ＰＣｓｔｅｐ  ｓｉｚｅ」の順番を後側にずらし、ステップＳ８０において、Ｎ−１の位置に「ＰＣａｔｔｒｉｂｕｔｅ  Ｎ」および「ＰＣｓｔｅｐ  ｓｉｚｅ  Ｎ」を満たす。このステップの後、１つのＰＣサイクルが完了し、その後、ステップＳ９０において、次のＰＣサイクルに入るためにステップＳ６０に戻る。
【００３２】
アップリンククローズドループＰＣに関する装置ユニットにおいては、本発明にしたがって２つの方式を選択することができる。１つの方式は、ＢＳにおいてＰＣアルゴリズムを設定し、ＰＣステップサイズおよび属性を得た後に、これらをＢＳダウンリンク信号中に挿入することである。このようにすると、図４に示されるように、携帯端末は、受信したＰＣ属性およびステップサイズにしたがって直接に送信出力を調整するだけで済む。この方式においては、以前のｎ個のＰＣサイクルにおけるＰＣ属性を記憶するためのメモリユニットがＢＳに配置されるとともに、アルゴリズム処理もＢＳにおいて完了する。第２の方式は、ＢＳがＰＣ属性値を送信するだけで済み、アルゴリズム処理が携帯端末において達成されるというものである。図５に示されるように、ＰＣサイズを計算した後、送信出力を調整する。この方式においては、メモリユニットおよびアルゴリズム処理ユニットが端末に配置される。すなわち、本発明の方法は、ＢＳにおいて達成されても良く、あるいは、携帯端末において達成されても良い。
【００３３】
図４を参照すると、本発明の方法を達成するために、ＰＣシステムがＢＳ１０と携帯端末２０とを含んでいることが分かる。上記ＢＳは、ＰＣアルゴリズム処理ユニット１１と、メモリユニット１３と、信号処理ユニット１４と、受信ユニット１２と、送信ユニット１５とを少なくとも含む。上記携帯端末は、送信ユニット２１と、受信ユニット２２と、信号処理ユニット２３とを少なくとも含む。１つのＰＣサイクルにおいて、ＰＣアルゴリズム処理ユニット１１は、無線通信ネットワークシステムの一部からＳＩＮＲ目標値を受信するとともに、受信ユニット１２から受信された携帯端末２０における送信信号のＳＩＮＲ値を受信し、現在のＰＣステップサイズ属性を決定した後、以前のＰＣサイクルにおけるＰＣ情報、例えばＰＣステップサイズおよびＰＣ属性をメモリユニット１３から受信する。以前および現在のＰＣサイクルにおけるＰＣ属性が連続的に増大し或いは減少する場合には、以前のステップサイズに基づいて現在のＰＣサイクルにおけるＰＣステップサイズが大きくなり、また、以前および現在のＰＣサイクルにおける属性が非連続的に増大し或いは減少する場合には、以前のステップサイズに基づいて現在のＰＣサイクルにおけるＰＣステップサイズが縮小する。上記アルゴリズム処理ユニット１１は、現在のＰＣサイクルにおける計算されたＰＣステップサイズおよび属性をメモリユニット１３に対して送信するとともに、これらのＰＣステップサイズおよび属性を信号処理ユニット１４に対して送信し、それと同時に、これらをダウンリンク送信信号中に挿入して、送信ユニット１５に対して送信する。その後、送信ユニット１５は、これらのＰＣステップサイズおよび属性を携帯端末２０に対して送信する。上記携帯端末２０の受信ユニット２２は、ＰＣステップサイズおよび属性を含むＢＳのＰＣコマンドを受信し、その後、受信ユニット２２は、これらのＰＣステップサイズおよび属性を、携帯端末の信号処理ユニット２３に対して送信する。信号処理ユニット２３は、受信したＰＣコマンドにしたがって端末送信器を調整する。送信ユニット２１は、調整された送信出力にしたがってＢＳ１０に対して信号を送信する。このようにして、１つのＰＣサイクルが達成される。
【００３４】
図５に示されるように、メモリユニット１３およびアルゴリズム処理ユニット１１が携帯端末２０側に配置されている場合にも、本発明の方法を達成することができる。ＰＣシステムはＢＳ１０と携帯端末２０とを含む。上記ＢＳ１０は、ＳＩＮＲ測定および比較ユニット１６と、信号処理ユニット１４と、受信ユニット１２と、送信ユニット１５とを少なくとも含む。上記携帯端末２０は、受信ユニット２２と、ＰＣアルゴリズム処理ユニット１１と、メモリユニット１３と、送信ユニット２１と、信号処理ユニット２３とを少なくとも含む。１つのＰＣサイクルにおいて、ＳＩＮＲ測定および比較ユニット１６は、無線通信ネットワークシステムの一部からＳＩＮＲ目標値を受信するとともに、受信ユニットから受信された携帯端末における送信信号のＳＩＮＲｒｅｃｅｉｖｅｄ値を受信する。そして、現在のＰＣ属性を決定する。その後、ＳＩＮＲ測定および比較ユニット１６は、現在のＰＣ属性を信号処理ユニット１４に対して送信するとともに、それをダウンリンク送信信号中に挿入して送信ユニット１５に送信する。その後、送信ユニット１５は、それを携帯端末２０に対して送信する。上記携帯端末２０の受信ユニット２２は、ＰＣ属性を含むＢＳのＰＣコマンドを受信する。その後、受信ユニット２２は、ＰＣ属性をＰＣアルゴリズム処理ユニット１１に対して送る。上記ユニットは、以前のＰＣサイクルにおけるＰＣ情報、例えばＰＣステップサイズおよびＰＣ属性をメモリユニット１３から受信する。以前および現在のＰＣサイクルにおけるＰＣ属性が連続的に増大し或いは減少する場合には、以前のステップサイズに基づいて現在のＰＣサイクルにおけるＰＣステップサイズが大きくなり、また、以前および現在のＰＣサイクルにおける属性が非連続的に増大し或いは減少する場合には、以前のステップサイズに基づいて現在のＰＣサイクルにおけるＰＣステップサイズが縮小する。その後、上記ＰＣアルゴリズム処理ユニット１１は、現在のＰＣサイクルにおける計算されたＰＣステップサイズおよび属性をメモリユニット１３に対して送信すると同時に、現在のＰＣステップサイズ信号を携帯端末の信号処理ユニット２３に対して送信する。上記信号処理ユニット２３は、計算されたＰＣ情報にしたがって端末送信器を調整する。送信ユニット２１は、調整された送信出力にしたがってＢＳ１０に対して信号を送信する。このようにして、１つのＰＣサイクルが達成される。
【００３５】
なお、ＣＤＭＡに基づく無線通信システムに的を絞って本発明を説明したが、本発明の方法は、ＧＳＭモバイル通信システムやＡＭＰＳモバイル通信システム等のＰＣを必要とする全ての種類の無線通信システムに適用できることは言うまでもない。
【００３６】
本発明の特定の実施形態を図示して説明してきたが、前述した実施形態および利点は、単なる例示であり、本発明を限定するものと解釈すべきではない。この教示内容は、他のタイプの装置に対して簡単に適用することができる。本発明の説明は、単なる例示であり、請求項の範囲を限定しようとするものではない。当業者にとってみれば、多くの代替案、改良、変形は自明のことである。
【図面の簡単な説明】
【００３７】
【図１】一般的な無線通信システムにおけるＢＳと端末との間の通信の概略図である。
【図２】従来のＰＣのフローチャートである。
【図３】本発明のＰＣのためのステップサイズ方法を決定するフローチャートである。
【図４】ＢＳ側に配置された本発明のＰＣステップサイズシステムにおけるメモリユニットおよびアルゴリズムユニットのシステムブロック図である。
【図５】携帯端末側に配置された本発明のＰＣステップサイズシステムにおけるメモリユニットおよびアルゴリズムユニットのシステムブロック図である。
【図１】
2006512839.tif 000003
【図２】
2006512839.tif 000004
【図３】
2006512839.tif 000005
【図４】
2006512839.tif 000006
【図５】
2006512839.tif 000007
【国際調査報告】
2006512839.tif 000008
2006512839.tif 000009
2006512839.tif 000010
2006512839.tif 000011